(57)【特許請求の範囲】
【請求項１】
建築物の壁、床、天井等に対して施工される発泡性を有する建材本体と、ヒノキチオールを含有する液体を内蔵するマイクロカプセルとを具備してなり、
マイクロカプセルを、非崩壊性粒子及び崩壊性粒子を表面に混在させてなる多孔質のカプセル本体と、該カプセル本体内に内蔵されたヒノキチオールを含有する液体とから構成し、少なくとも経時変化により崩壊性粒子が崩壊することによって前記液体がカプセル本体内から放出されるように構成し、
建材本体に多数のマイクロカプセルを付着又は含有させて、そのマイクロカプセルが少なくとも経時変化により崩壊することでマイクロカプセル内の液体が建材本体外の空気中又は建材本体中に放出されるように構成していることを特徴とする発泡性建材。
【請求項２】
非崩壊性粒子がセラミックス粒子からなるものであることを特徴とする請求項１記載の発泡性建材。
【請求項３】
崩壊性粒子が植物性タンパク質からなるものであることを特徴とする請求項１又は２記載の発泡性建材。
【請求項４】
建材本体に、マイクロカプセルと共に木材粉末を付着させていることを特徴とする請求項１、２又は３記載の発泡性建材。
【請求項５】
壁や床等に施工した建材本体の表面に、木材粉末を吹き付け施工していることを特徴とする請求項１、２、３又は４記載の発泡性建材。
【請求項６】
木材粉末が、青森ヒバや台湾ヒノキ等のヒノキチオールを含有する樹木の樹皮粉末であることを特徴とする請求項４又は５記載の発泡性建材。
【請求項７】
建材本体が、ロックウールやグラスウール等の無機繊維性建材であることを特徴とする請求項１、２、３、４、５又は６記載の発泡性建材。
【請求項８】
建材本体が、セルロースファイバー等の木質繊維性建材であることを特徴とする請求項１、２、３、４、５、６又は７記載の発泡性建材。
【請求項９】
建材本体が、ウレタン系、スチレン系、エチレン系、フェノール系、イソシアヌレート系等の樹脂性建材であることを特徴とする請求項１、２、３、４、５、６、７又は８記載の発泡性建材。
【請求項１０】
前記建材本体が、ボード状又はビーズ状をなすもの、若しくは流動性を有し吹き付け施工や充填施工後に硬化するものであることを特徴とする請求項９記載の発泡性建材。
【発明の詳細な説明】
【０００１】
【発明の属する技術分野】
本発明は、建築物の壁や床等に好適に施工される発泡性を有する建材に関するものである。
【０００２】
【従来の技術】
従来より、家屋やビルディングの壁や床に、断熱や防音を目的としてロックウール（鉱滓綿）等の繊維性建材やウレタン等の樹脂性建材を施工することがある。例えば、鉄筋コンクリート建築物の壁面を構成するコンクリートの表面に、発泡機から噴出させたロックウールやポリウレタンフォーム等を吹き付け、そのロックウールの表面側に合板や石膏ボード等の内装材を張り付けている。その他にも、パネル化したボード状の断熱（防音）材を施工したり、建築物の壁体等の空隙に断熱材料を流し込むような工法が採用されることもある。
【０００３】
また最近では「住宅性能表示制度」が施行され、家屋の省エネルギー対策のレベルを示す「温熱環境性能」を住宅会社が家を買うエンドユーザーに対して明示する必要が生じている。このことや、地球温暖化現象に対する近年における関心の高まりと共に、家屋の「高断熱・高気密」に対するニーズが高まっており、それに伴って上述のような断熱材の利用がますます高まってきている。
【０００４】
【発明が解決しようとする課題】
ところで近年、新築の建築物ではシックハウス症候群やシックビル症候群等の健康被害が問題となっている。これは、前記内装材の張り付けに当たって使用される合成樹脂接着剤や新建材に含まれるホルムアルデヒド等の化合物が空気中に放出されることによって、その化合物に人が接触したり吸い込んだりすることによるものである。このような健康被害は特に新築の建築物に多く見られるが、空調機器の普及や建築物の気密性の向上によって窓を開放する機会が少なくなっている現代の建築物一般に広がっている。
【０００５】
また、上述のような空調機器の普及や建築物の気密性の向上に伴って、室内あるいは壁や床が、ダニやカビ等の雑菌等の繁殖に適した場所ともなっている。特にウレタン等の樹脂性建築基材は通気性が乏しいため、ダニ等の温床ともなっている。これらダニや雑菌等は一旦繁殖すると長期に亘って生存することがあるため、防虫剤や抗菌剤等を塗布してもその後しばらくは効果があるものの塗布量には限度があるので長期に亘る効果は期待できず、定期的に塗布を繰り返す必要がある。
【０００６】
さらにまた、壁や床、柱等がシロアリに喰われてしまうシロアリ被害も世界中で深刻化している。シロアリは、湿潤な木材を好んで食害することがよく知られているが、木材の他にも布や紙はもちろん、コンクリートやゴム、ビニール素材等も食害することが知られてきている。このため特にシロアリ被害が甚大になると、家屋等の建築物が傾いたり、極端な場合には崩壊することにもなる。シロアリ対策としては、これまで合成化学薬剤や天然薬剤等をシロアリ被害に遭いがちな部位、例えば床や基礎コンクリート等に散布したり塗布する方法が採用されてきてはいるが、このような方法ではシロアリに対する駆除効果が長続きせず、所定期間を空けて何度も薬剤処理する必要があって手間やコストが多大であるという問題があり、また薬剤の中には人体やペット、家畜等に有害で使用に注意を要する成分が含まれていることもある。
【０００７】
そこで本発明は、以上のような問題に鑑みて、シックハウス症候群等の原因物質の除去及びダニやシロアリ等に対する防虫、カビ等に対する抗菌効果を、比較的低コストで長期に亘って維持することができる発泡性建材を提供することを目的としている。
【０００８】
【課題を解決するための手段】
すなわち、本発明の発泡性建材は、建築物の壁、床、天井等に対して施工される発泡性を有する建材本体と、ヒノキチオールを含有する液体を内蔵するマイクロカプセルとを具備してなり、建材本体に多数のマイクロカプセルを付着又は含有させて、そのマイクロカプセルが少なくとも経時変化により崩壊することでマイクロカプセル内の液体が空気中に放散されるように構成している。
【０００９】
ヒノキチオールには、従来より防虫効果や抗菌効果があること、また、ホルムアルデヒド等のシックハウス症候群の原因物質を除去する効果があることが知られている。このようなヒノキチオールの性質を利用して、ヒノキチオールの精油やそれを薄めた液剤そのものを建築物の床や壁、基礎コンクリート等に散布又は塗布することによって防虫抗菌処理を行うという方法も考えられてはいるが、このような方法では散布したり塗布したヒノキチオールが揮発して時間が経つとその効果が薄れてしまい、繰り返し何度も処理を行う必要が生じていた。したがって、本発明のような構成の発泡性建材であれば、マイクロカプセルが時間経過と共に個別に崩壊し、放出した液体からヒノキチオールが空気中に放散したり建材本体内に浸出したりするため、新建材や合成樹脂製接着剤等から放出されるホルムアルデヒド等の化学物質を除去してシックハウス（シックビル）症候群の発生を抑制することができる。また、マイクロカプセルから放出したヒノキチオールによって、壁や床、室内、あるいは建材本体内におけるダニやシロアリ等の害虫、カビ等の雑菌の繁殖・外部からの進入を抑制することも可能である。さらに、マイクロカプセルの崩壊時期は個々に異なっており、このようなマイクロカプセルを建材本体に多数付着させているので、長期的に見れば崩壊したマイクロカプセルから連続的にヒノキチオールが放出されることとなって、長期に亘って上述のような効果を得ることができる。なお、壁や床を構成するコンクリート等にヒノキチオールを含有するマイクロカプセルを混入するという方法も考えられるが、発泡性建材は壁や床よりも室内側に配設されるものであるため、特に室内における防虫・抗菌効果や前記原因物質の除去効果が顕著となる。もちろん本発明の発泡性建材によって、従来の発泡性建材よりも断熱効果や防音効果が劣ることはない。
【００１０】
そして、マイクロカプセルだけによる効果をできるだけ長期間維持できるように、本発明の発泡性建材は、マイクロカプセルを、非崩壊性粒子及び崩壊性粒子を表面に混在させてなる多孔質のカプセル本体と、該カプセル本体内に内蔵されたヒノキチオールを含有する液体とから構成し、少なくとも経時変化により崩壊性粒子が崩壊することによって前記液体がカプセル本体内から放出されるように構成していることを特徴としている。すなわち、このような構成によって、非崩壊性粒子は崩壊性粒子が崩壊した後にできる孔をできるだけ小さく塞ぐことになるため、その孔から内部の液体が一気に放出されず徐放性を奏するため、比較的長期間、効果が持続することになる。
【００１１】
好ましいマイクロカプセルの構成としては、非崩壊性粒子がセラミックス粒子からなるものや、崩壊性粒子が植物性タンパク質粒子からなるものが挙げられる。
【００１２】
特に、ウレタン等の通気性を有しない建材本体は結露の原因となりダニやカビが繁殖しやすいが、そのような建材本体に対して調湿性を付与して防虫効果や抗菌効果を向上するためには、建材本体に、マイクロカプセルと共に木材粉末を付着させていることが望ましい。このような効果は、壁や床、天井等に施工した建材本体の表面に、木材粉末を吹き付け施工することによっても得ることができる。この場合、より長期間に亘る前記原因物質の除去効果や防ダニ・防シロアリ・抗菌効果を得るためには、木材粉末が、青森ヒバや台湾ヒノキ等のヒノキチオールを含有する樹木の樹皮粉末であることが有効である。
【００１３】
好適な建材本体には、ロックウールやグラスウール等の無機繊維性建材が挙げられる。特にロックウール等は耐火性に優れるため近年では用いられることが多くなっている上に、家屋に断熱効果が求められている今日では極めて使用頻度が高いものである。このロックウールに代表される繊維性の建材は、鉱物を原料として繊維状に形成したものを密に絡ませているためマイクロカプセルの保持材として優れており、また通気性を有しているためその繊維の表面にマイクロカプセルを付着させることで崩壊したマイクロカプセルからのヒノキチオールの空気中への放散性を向上することができる。その他にも好適な繊維系の建材本体としては、セルロースファイバー等の木質繊維性建材等が挙げられる。その他の好適な発泡性の建材本体には、ウレタン系、スチレン系、エチレン系、フェノール系、イソシアヌレート系等の樹脂性建材が挙げられる。このような建材本体の例としては、ポリウレタンフォーム、ポリスチレンフォーム、ポリエチレンフォーム等に代表されるフォーム材が挙げられ、原料となるポリウレタン等は前記マイクロカプセルを混入させて含有しておくのに適している。特にこのような建材本体は、上述のように通気性を有しない反面、防水性に優れるという特性がある上、使い勝手の良さでも優れている。さらにこのような樹脂製の建材本体として具体的な形態には、ボード状又はビーズ状をなすもの、若しくは流動性を有し吹き付け施工や充填施工後に硬化するものが挙げられる。
【００１４】
【発明の実施の形態】
以下、本発明の一実施形態を、図面を参照して説明する。
【００１５】
この実施形態は、建材本体としてロックウール１１を適用した発泡性建材１である。図１は、発泡性建材１を吹き付け施工した建築物の壁を一部破断して示すものである。この壁は防耐火性能を向上させたもので、外壁材として防火サイディング２を配設し、その内側に耐水シート３を張り、さらにその内側に耐水合板４を設け、この耐水合板４の内側に立てた柱５同士の間に前記発泡性建材１を施工し、室内側に内装材として石膏ボード６を配設している。なお同図において発泡性建材１には網掛けを附して示している。
【００１６】
図２に、吹きつけ施工された発泡性建材１の一部を拡大して模式的に示す。この発泡性建材１は、鉱物を原料として繊維状にして形成した発泡性を有する建材本体たるロックウール１１と、多数のマイクロカプセル１２と、青森ヒバや台湾ヒノキの樹皮粉末１３から構成されている。すなわちロックウール１１の互いに絡み合った繊維表面には、数十個から数百個程度のマイクロカプセル１２が相互に引き合った状態の塊と、無数の樹皮粉末１３が保持されている。
【００１７】
個々のマイクロカプセル１２は、図３に模式的に示すように、カプセル本体１２１と、そのカプセル本体１２１の内部に保持されたヒノキチオールを含有する液体１２２とからなる。カプセル本体１２１は、それぞれ複数の非崩壊性粒子と崩壊性粒子とを混在させた構成の約２μｍ程度の大きさの多孔質粒子であり、非崩壊性粒子をセラミックス粒子１２１ａから構成し、崩壊性粒子を大豆レシチン等の植物性タンパク質粒子１２１ｂから構成している。このうち植物性タンパク質粒子１２１ｂが温度変化や光の作用で経時的に崩壊することによって形成された孔から内部の液体１２２が放出されることになる。しかしてこの液体１２２は、青森ヒバや台湾ヒノキから抽出したヒノキチオールを含有している。すなわち、青森ヒバや台湾ヒノキの木片や樹皮、枝葉等を細かく粉砕したものに高温高圧の蒸気を当て、生じた液体（油溶成分及び水溶成分）が得られる。この液体のうち油溶成分にはヒノキチオールが多量に含まれているため、この油溶成分をもって前記液体１２２としているが、水溶成分も使用してもよい。
【００１８】
このような構成のマイクロカプセル１２と樹皮粉末１３とをロックウール１１と共に適宜の発泡機内に混合したうえで、施工した耐水合板４に向けて噴射することで、図２に示すように発泡性建材１を施工する。あるいは、発泡機で発泡させたロックウール１１（マイクロカプセル１２を混合済みのもの）を耐水合板４と石膏ボード６の間の空間に流し込むようにしてもよい。なお、マイクロカプセル１２は最終的な発泡性建材１に対して約１〜３％となるように発泡機内に投入している。マイクロカプセル１２のロックウールに対する混合比率はこの限りにする必要はないが、これ以上の割合でマイクロカプセル１２を含有させても効果は同等である。さらに本実施形態では、このように施工した発泡性建材１の表面（室内側）に対して、ロックウール１１に保持されている樹皮粉末１３と同等の樹皮粉末１３を、噴霧器７等を用いて吹き付けている。壁の施工に当たっては、以上のような発泡性建材１の室内側に石膏ボード６を張り付けることになる。
【００１９】
ここで、本実施形態の発泡性建材１に適用したマイクロカプセル１２の防シロアリ性能について説明する。ここではマイクロカプセルの防シロアリ性能試験として、図４に示すような長さ５ｃｍの筒体１００内に土壌１１０やマイクロカプセル１２を詰め込み、筒体１００の一端（右端）からシロアリが筒体１００内をどれだけ移動できるかを経時的に調べている。
【００２０】
図４に示すように、試験Ａとしては、筒体１００の右端から３ｃｍ分及び左端から１ｃｍ分だけ土壌１１０を詰め、それら土壌１１０の間にマイクロカプセル１２を１ｃｍ分詰めたものを使用した。試験Ｂとしては、重量１２ｇの土壌１１０と重量３ｇのマイクロカプセル１２とを混合したものを、筒体１００内全体に詰めたものを使用している。試験Ｃとしては、筒体１００内全体にマイクロカプセル１２を詰めたものを使用した。これら各試験に対する対照試験として、筒体１００内全体に土壌１１０のみを詰めたものを使用した。そして、これら各試験及び対照試験について、それぞれ３回にわたってシロアリが筒体１００内を移動するか調査した。これらの試験結果を図５に示す。
【００２１】
図５に示すとおり、対照試験では３回とも、シロアリは試験開始から１日で筒体１００内を５ｃｍ移動し、２日目には筒体１００を完全に貫通していた。これに対して、試験Ａでは、２１日目にして筒体１００内を５ｃｍ移動したものがあったが（Ａ−１）、他の二つ（Ａ−２、Ａ−３）では右側の土壌１１０の長さにほぼ相当する約３ｃｍの移動が認められた。また、試験Ｂでは、７日目まではシロアリの移動が全く認められず、２１日目にして１．２〜２．２ｃｍの移動が認められた。さらに試験Ｃでは、試験開始から２１日目までシロアリの筒体１００内の移動は全く認められなかった。以上の試験結果から、シロアリは土壌のみがある箇所を容易に通過することができるが、ヒノキチオールを含有する液体１２２を含むマイクロカプセル１２がある箇所は通過できず、少なくとも容易には通過することができないことが分かった。したがって、このようなマイクロカプセル１２を付着させたロックウール１１から構成される発泡性建材１を施工すれば、有効にシロアリ被害を抑制することができるといえる。なお、いずれの試験においても試験終了までシロアリが死滅することはなかったが、試験Ｃにおいてはシロアリが筒体１００内の外部から視認できるところを動き回ることなく筒体１００の下方にじっと留まっていたことから（図５中「下に生存」の表記を参照）、ヒノキチオールを含有するマイクロカプセル１２が多量に存在する環境は、シロアリにとって生息しにくいものであることがわかる。
【００２２】
以上のような構成の本実施形態によれば、建材本体として用いたロックウール１１に、ヒノキチオール含有液体１２２を内蔵したマイクロカプセル１２及び青森ヒバや台湾ヒノキの樹皮粉末１３を保持させてなる発泡性建材１を、建築物の壁の施工に際して防音断熱材として適用しているため、マイクロカプセル１２の植物性タンパク質粒子１２１ｂが光や温度変化等の作用によって崩壊し液体１２２が放出されると、液体１２２中のヒノキチオールによって、新建材や合成樹脂接着剤から発するホルムアルデヒド等のシックハウス症候群の原因物質を有効に除去できるとともに、壁や室内に繁殖するダニやカビ等の雑菌の繁殖を防止又は抑制することが可能である。特にマイクロカプセル１２が非崩壊性粒子たるセラミックス粒子１２１ａ及び崩壊性粒子たる植物性タンパク質粒子１２１ｂを表面に混在させてなるカプセル本体１２１を有するため、植物性タンパク質粒子１２１ｂが崩壊してできた孔はセラミックス粒子１２１ａによって可及的に塞がれるため液体１２２は徐々に放出され、さらに植物性タンパク質粒子１２１ｂは経時的に崩壊するものであるため、施工後早い時期から崩壊するものから長年の経過後に崩壊するものまで様々であり、壁の施工時に発泡性建材１中にこのマイクロカプセル１２を混入しておけば、後に抗菌剤等を何度も繰り返して散布する必要がなく、比較的長期間に亘って上記効果を享受することができる。また、樹皮粉末１３によっては壁内での調湿作用が得られるだけでなく、その原材料である青森ヒバや台湾ヒノキに含まれるヒノキチオールが前記マイクロカプセル１２内の液体１２２と同等の効果をさらに長期に亘って奏するために、マイクロカプセル１２の効果と相まって、建築物の防ダニ・抗菌効果及びシックハウス症候群による人体の健康被害防止を、極めて長期間維持することが可能である。さらに、ロックウール１１の室内側となる表面には青森ヒバ等の樹皮粉末１３を吹きつけ加工しているため、上記の効果をより一層高めることもできる。
【００２３】
さらに、ロックウール１１は比較的密に絡まった繊維状をなすものであるため、マイクロカプセル１２や樹皮粉末１３の保持材としても適しており、その構造上隙間が多い構成であるためマイクロカプセル１２や樹皮粉末１３から放出されるヒノキチオールを空気中に極めて好適に放散して、上記効果を向上することができる。また、この発泡性建材１は石膏ボード６によって隔てられてはいるものの室内に近い位置に施工されるため、放出されたヒノキチオールが室内に到達しやすく、壁内だけでなく室内での上記効果も顕著なものとすることができる。
【００２４】
なお、本実施形態は、建築物の壁だけでなく床や天井等にも適用することができるものである。また、建材本体としては、ロックウール以外にグラスウールやセルロースファイバー等の無機・木質繊維性建材を用いることができるのは勿論のこと、その他にもポリウレタンフォーム、ポリエチレンフォーム、ポリスチレンフォームやフェノール系、イソシアヌレート系等の樹脂性建材を適用することができる。特にこれら樹脂製建材は、取り扱いが容易であり防湿性が良好である反面、調湿性が劣るものであるため、結露が出やすくダニや雑菌の温床となりやすいが、その中に含ませたマイクロカプセルから放出される液体１２２中のヒノキチオールの作用で、ダニや雑菌の繁殖を防止することができ、さらにマイクロカプセルと共に木材粉末（特に青森ヒバ等のヒノキチオールを含有する木材の樹皮粉末が適している）を混合しておくと、そのような樹脂性建築基材からなる発泡性建材に調湿機能を付与することができ、ダニやシロアリ、雑菌の繁殖防止効果を向上することができる。これら樹脂性建材を施工するに際しては、予め発泡・硬化させることによってボード状又はビーズ状をなすものとしたものを適用したり、流動性を有する状態で吹き付け施工や充填施工してから硬化させるようにするなど、種々の態様で用いることができる。その他、各部の具体的構成についても、上記実施形態に限られるものではなく、本発明の趣旨を逸脱しない範囲で種々変形が可能である。
【００２５】
【発明の効果】
本発明は、以上説明したような形態で実施され、以下に記載されるような効果を奏する。
【００２６】
すなわち、本発明によれば、発泡性を有する建材本体に多数付着又は含有させたマイクロカプセルが時間経過と共に個別に崩壊し、長期的に見れば崩壊したマイクロカプセルから連続的に液体が放出されることとなって、その液体中のヒノキチオールが空気中に放散したり建材本体内に浸出したりするため、長期に亘って新建材や合成樹脂製接着剤等から放出されるホルムアルデヒド等の化学物質を除去してシックハウス（シックビル）症候群の発生を抑制したり、壁や床、あるいは建材本体内におけるダニやシロアリ等の害虫、カビ等の雑菌の繁殖を抑制することができる。また、このような発泡性建材は通常、壁や床よりも室内に近い箇所に施工されるものであるため、室内の防ダニ・防シロアリ・抗菌効果や前記原因物質の除去効果も顕著である。
【００２７】
また、建材本体に、マイクロカプセルと共に木材粉末を付着させている場合には、混合した木材粉末によって発泡性建材に調湿機能を付与することができ、特に通気性・調湿性の乏しい建材本体における結露の防止や防ダニ効果や抗菌効果を向上することが可能である。さらに、壁や床等に施工した建材本体の表面に、木材粉末を吹き付け施工することによってもこのような効果を得ることができる。この場合、青森ヒバや台湾ヒノキ等のヒノキチオールを含有する樹木の樹皮を粉末とした木材粉末を使用すれば、マイクロカプセルの効果が薄れた後でもより長期間に亘って前記原因物質の除去効果や防ダニ・抗菌効果を維持することができる。
【００２８】
建材本体として耐火性に優れたロックウールやグラスウール等の無機繊維性建築基材を適用すれば、密に絡んだ繊維状をなすロックウール等にマイクロカプセルを好適に保持させることができ、またロックウール等には通気性があるためその繊維の表面にマイクロカプセルを付着させることで崩壊したマイクロカプセルからの放出される液体中のヒノキチオールを空気中へよりよく放散させることができる。同様の効果は、セルロースファイバー等の木質繊維性建材を適用しても得ることができる。
【００２９】
その他、建材本体としてウレタン系、スチレン系、エチレン系、フェノール系、イソシアヌレート系等の防水性に優れ取り扱いが容易な樹脂性建材を適用すれば、上述のようにダニや雑菌が繁殖しやすい樹脂性建材の欠点を有効に補うことが可能である。このような樹脂性建材としては、ボード状又はビーズ状をなすもの、若しくは流動性を有し吹き付け施工や充填施工後に硬化するものを利用すると実用的である。
【００３０】
また、マイクロカプセルを、非崩壊性粒子及び崩壊性粒子を表面に混在させてなる多孔質のカプセル本体内に、ヒノキチオールを含有する液体を内蔵した構成とし、少なくとも経時変化により崩壊性粒子が崩壊することによって前記液体がカプセル本体内から放出されるようにすると、非崩壊性粒子が崩壊性粒子の崩壊後にできる孔をできるだけ小さく塞ぐことになるため、その孔から内部の液体が一気に放出されず徐放性を奏するため、マイクロカプセルだけでも比較的長期間、効果を持続することができる。さらに、このようなマイクロカプセルは崩壊時期が個別に異なるため、長期的に見れば崩壊したマイクロカプセルから連続的にヒノキチオールが放出されることとなって、長期に亘って上述のような効果を得ることができる。特に、非崩壊性粒子をセラミックス粒子から構成したり、崩壊性粒子を植物性タンパク質から構成している場合に、このような効果が極めて顕著に得られることになる。
【図面の簡単な説明】
【図１】本発明の一実施形態を適用した壁を一部破断して示す概略図。
【図２】同実施形態の一部を拡大して模式的に示す図。
【図３】同実施形態におけるマイクロカプセルの模式図。
【図４】同マイクロカプセルの防シロアリ性能試験の概要を示す図。
【図５】防シロアリ性能試験の試験結果を示す図。
【符号の説明】
１…発泡性建材
１１…建材本体（ロックウール）
１２…マイクロカプセル
１３…木材粉末（樹皮粉末）
１２１…カプセル本体
１２１ａ…非崩壊性粒子（セラミックス粒子）
１２１ｂ…崩壊性粒子（植物性タンパク質粒子）
１２２…ヒノキチオールを含有する液体
【図１】
0003653477.tif 000002
【図２】
0003653477.tif 000003
【図３】
0003653477.tif 000004
【図４】
0003653477.tif 000005
【図５】
0003653477.tif 000006